(57)【特許請求の範囲】
【請求項１】
ＬＴＥ（Ｌｏｎｇ  Ｔｅｒｍ  Ｅｖｏｌｕｔｉｏｎ）に準拠して、送信アンテナ毎に周波数軸上のＲＥ（Ｒｅｓｏｕｒｃｅ  Ｅｌｅｍｅｎｔ）を単位としてマッピングされた信号を受信する受信装置において、
上記ＲＥのグループであるＲＥＧ（Ｒｅｓｏｕｒｃｅ  Ｅｌｅｍｅｎｔ  Ｇｒｏｕｐ）であって、順に通し番号が付されているＲＥＧのうちの、上記通し番号の順に注目されたＲＥＧである注目ＲＥＧに、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）またはＰＨＩＣＨ（Ｐｈｙｓｉｃａｌ  ＨＡＲＱ（Ｈｙｂｒｉｄ  Ａｕｔｏｍａｔｉｃ  Ｒｅｐｅａｔ  Ｒｅｑｕｅｓｔ）  Ｉｎｄｉｃａｔｏｒ  Ｃｈａｎｎｅｌ）の少なくとも一方がマッピングされているか否かを判定する判定手段と、
上記注目ＲＥＧに、ＰＣＦＩＣＨおよびＰＨＩＣＨがいずれもマッピングされていないと判定された場合、上記注目ＲＥＧにＰＤＣＣＨ（Ｐｈｙｓｉｃａｌ  Ｄｏｗｎｌｉｎｋ  Ｃｏｎｔｒｏｌ  Ｃｈａｎｎｅｌ）をデマッピングするＰＤＣＣＨデマッピング手段と
を有することを特徴とする受信装置。
【請求項２】
請求項１に記載の受信装置において、
前記ＲＥＧにＰＣＦＩＣＨをデマッピングするＰＣＦＩＣＨデマッピング手段と、
前記ＲＥＧにＰＨＩＣＨをデマッピングするＰＨＩＣＨデマッピング手段と
をさらに有することを特徴とする受信装置。
【請求項３】
請求項２に記載の受信装置において、
前記ＰＣＦＩＣＨデマッピング手段は、ＰＣＦＩＣＨがマッピングされた前記ＲＥＧの通し番号のうち最小の通し番号に対応するＰＣＦＩＣＨ  ｓｙｍｂｏｌ−ｑｕａｄｒｕｐｌｅｔ番号を探索し、
前記ＰＨＩＣＨデマッピング手段は、ＰＨＩＣＨがマッピングされた前記ＲＥＧの通し番号のうち最小の通し番号に対応するＰＨＩＣＨ  ｓｙｍｂｏｌ−ｑｕａｄｒｕｐｌｅｔ番号およびＰＨＩＣＨ  ｍａｐｐｉｎｇ  ｕｎｉｔ番号を探索し、
前記判定手段は、前記ＰＣＦＩＣＨ  ｓｙｍｂｏｌ−ｑｕａｄｒｕｐｌｅｔ番号、前記ＰＨＩＣＨ  ｓｙｍｂｏｌ−ｑｕａｄｒｕｐｌｅｔ番号、および前記ＰＨＩＣＨ  ｍａｐｐｉｎｇ  ｕｎｉｔ番号を参照して、前記注目ＲＥＧに、ＰＣＦＩＣＨまたはＰＨＩＣＨの少なくとも一方がマッピングされているか否かを判定する
ことを特徴とする受信装置。
【請求項４】
ＬＴＥに準拠して、送信アンテナ毎に周波数軸上のＲＥを単位としてマッピングされた信号を受信する受信方法において、
上記ＲＥのグループであるＲＥＧであって、順に通し番号が付されているＲＥＧのうちの、上記通し番号の順に注目されたＲＥＧである注目ＲＥＧに、ＰＣＦＩＣＨまたはＰＨＩＣＨの少なくとも一方がマッピングされているか否かを判定する判定ステップと、
上記注目ＲＥＧに、ＰＣＦＩＣＨおよびＰＨＩＣＨがいずれもマッピングされていないと判定された場合、上記注目ＲＥＧにＰＤＣＣＨをデマッピングするＰＤＣＣＨデマッピングステップと
を含むことを特徴とする受信方法。
【請求項５】
ＬＴＥに準拠して、送信アンテナ毎に周波数軸上のＲＥを単位としてマッピングされた信号を受信する受信装置のコンピュータに、
上記ＲＥのグループであるＲＥＧであって、順に通し番号が付されているＲＥＧのうちの、上記通し番号の順に注目されたＲＥＧである注目ＲＥＧに、ＰＣＦＩＣＨまたはＰＨＩＣＨの少なくとも一方がマッピングされているか否かを判定する判定ステップと、
上記注目ＲＥＧに、ＰＣＦＩＣＨおよびＰＨＩＣＨがいずれもマッピングされていないと判定された場合、上記注目ＲＥＧにＰＤＣＣＨをデマッピングするＰＤＣＣＨデマッピングステップと
を含む処理を行わせるプログラム。
【発明の詳細な説明】
【技術分野】
【０００１】
本発明は受信装置および受信方法、並びにプログラムに関する。
【背景技術】
【０００２】
通信方式の規格であるＬＴＥ（Ｌｏｎｇ  Ｔｅｒｍ  Ｅｖｏｌｕｔｉｏｎ）では、Ｄｏｗｎｌｉｎｋの無線通信方式としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）が採用されている。
【０００３】
図９は、従来の通信システムの概略の構成を示すブロック図である。
【０００４】
まず、送信側について説明する。
【０００５】
送信側ではユーザの各データに対して、符号化部１０１において、誤り訂正符号化や誤り検出符号化およびサイズ調整が行われる。続いて、変調部１０２において、符号化部１０１から供給された符号化部出力データが各種変調方式に応じたＩＱ平面上の各点に割り当てられ、また、適時、空間多重や送信ダイバーシチ等のＰｒｅｃｏｄｉｎｇが行われ、各送信アンテナ向けのデータが生成される。
【０００６】
続いて、マッピング部１０３において、変調部１０２から供給された変調部出力データが送信アンテナ毎に周波数軸上の各ＲＥ（Ｒｅｓｏｕｒｃｅ  Ｅｌｅｍｅｎｔ）にマッピングされる。１つのＯＦＤＭ  ｓｙｍｂｏｌ分のマッピング後、ＩＦＦＴ（Ｉｎｖｅｒｓｅ  Ｆａｓｔ  Ｆｏｕｒｉｅｒ  Ｔｒａｎｓｆｏｒｍ）部１０４において、マッピング部１０３からの出力が送信アンテナ毎に時間軸上のデータに変換され、搬送波変調部１０５において、ＩＦＦＴ部１０４からの出力が送信アンテナ毎に搬送波変調されて、送信データとして各送信アンテナ（図示せず）から送信される。
【０００７】
ここで、周波数軸上でのマッピング単位をＲＥと称し、ＩＦＦＴをかける際の単位時間をＯＦＤＭ  ｓｙｍｂｏｌと称する。
【０００８】
次に、受信側について説明する。
【０００９】
受信側では、搬送波復調部１０６において、受信データから時間軸上のデータが取り出される。時間軸上のデータはＦＦＴ（Ｆａｓｔ  Ｆｏｕｒｉｅｒ  Ｔｒａｎｓｆｏｒｍ）部１０７において、周波数軸上のデータに変換され、デマッピング部１０８において、各ＲＥにマッピングされたデータが取り出される。取り出されたデータは、復調部１０９において、各変調方式に応じた復調処理がなされ、最後に、復号部１１０にて誤り訂正や誤り検出が行われる。
【００１０】
ＬＴＥにおいては、１つのＳｕｂ−ｆｒａｍｅの先頭に配置されているＯＦＤＭ  ｓｙｍｂｏｌから最大４つのＯＦＤＭ  ｓｙｍｂｏｌを用いて、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  ＨＡＲＱ  Ｉｎｄｉｃａｔｏｒ  Ｃｈａｎｎｅｌ）およびＰＤＣＣＨ（Ｐｈｙｓｉｃａｌ  Ｄｏｗｎｌｉｎｋ  Ｃｏｎｔｒｏｌ  Ｃｈａｎｎｅｌ）が送信される。
【００１１】
ＰＣＦＩＣＨは、ＰＤＣＣＨが送信されるＯＦＤＭ  Ｓｙｍｂｏｌ数を受信端末に通知するためのデータである。ＰＨＩＣＨは、ＨＡＲＱ（Ｈｙｂｒｉｄ  Ａｕｔｏｍａｔｉｃ  Ｒｅｐｅａｔ  Ｒｅｑｕｅｓｔ）  Ｉｎｄｉｃａｔｏｒを受信端末に通知するためのデータである。ＰＤＣＣＨは、ＰＤＳＣＨ（Ｐｈｙｓｉｃａｌ  Ｄｏｗｎｌｉｎｋ  Ｓｈａｒｅｄ  Ｃｈａｎｎｅｌ）を受信するための各種パラメータやＴＰＣ（Ｔｒａｎｓｍｉｔ  Ｐｏｗｅｒ  Ｃｏｎｔｒｏｌ）などを受信端末に通知するためのデータである。
【００１２】
ここで、ＰＣＦＩＣＨ、ＰＨＩＣＨ、およびＰＤＣＣＨのマッピング方法が、非特許文献１に開示されている。
【００１３】
非特許文献１に記載されているように、ＰＣＦＩＣＨ、ＰＨＩＣＨ、およびＰＤＣＣＨは、ＲＥＧ（Ｒｅｓｏｕｒｃｅ  Ｅｌｅｍｅｎｔ  Ｇｒｏｕｐ）を単位としてマッピングされる。
【００１４】
図１０は、ＰＣＦＩＣＨ、ＰＨＩＣＨ、およびＰＤＣＣＨのマッピングの概略を示す図である。図１０において、斜線の付された四角は、各送信アンテナのＲＳ（Ｒｅｆｅｒｅｎｃｅ  Ｓｉｇｎａｌ）が配置されているＲＥを示す。ここで、ＲＳは、パイロット信号である。
【００１５】
１つのＲＥＧは、図１０中のＡで示されるように、ＲＳが有るＯＦＤＭ  ｓｙｍｂｏｌでは６つのＲＥで構成され、図１０中のＢで示されるように、ＲＳの無いＯＦＤＭ  ｓｙｍｂｏｌでは４つのＲＥで構成される。図１０に示されるように、ＲＳのマッピング位置は、各送信アンテナともに６ＲＥ周期である。マッピングのオフセット位置は、基地局のセルＩＤにより決められる。なお、ＲＥＧ内のマッピングではＲＳが除かれる。
【００１６】
非特許文献１の６．８．５節によると、ＰＤＣＣＨのマッピングには、ＰＨＩＣＨおよびＰＣＦＩＣＨのマッピング情報が必要となる。その概略を図１１に示す。ＰＤＣＣＨは、ＲＥＧを単位として、ＰＣＦＩＣＨおよびＰＨＩＣＨを除く位置に、時間方向にＯＦＤＭ  ｓｙｍｂｏｌ毎にマッピングされ、さらに、これを低周波数側から順次高周波数方向に行なうことによりマッピングされる。なお、図１１中の各ＲＥＧに記載の数値はＰＤＣＣＨ  ｓｙｍｂｏｌ−ｑｕａｄｒｕｐｌｅｔ番号である。
【００１７】
非特許文献１の６．８．５節に記載されているＰＤＣＣＨのマッピングフローを図１２のフローチャートに示す。
【００１８】
ステップＳ１０１において、ＰＤＣＣＨ  ｓｙｍｂｏｌ−ｑｕａｄｒｕｐｌｅｔ番号ｍ”が０に初期化され、ＲＥ番号ｋ’が０に初期化される。
【００１９】
ステップＳ１０２において、ＯＦＤＭ  ｓｙｍｂｏｌ番号ｌ’が０に初期化される。ステップＳ１０３において、ＲＥ番号ｋ’とＯＦＤＭ  ｓｙｍｂｏｌ番号ｌ’とを要素とする配列（ｋ’、ｌ’）が、ＲＥＧ  ｉｎｄｅｘ  ｐａｉｒと等しいか否かが判定される。ＲＥＧ  ｉｎｄｅｘ  ｐａｉｒのｋ’は、ＲＳが有る場合、６の倍数となり、ＲＳが無い場合、４の倍数となる。
【００２０】
ステップＳ１０３において、配列（ｋ’、ｌ’）が、ＲＥＧ  ｉｎｄｅｘ  ｐａｉｒと等しいと判定された場合、手続きはステップＳ１０４に進み、ＲＥＧ（ｋ’、ｌ’）に、ＰＣＦＩＣＨがマッピングされているか否かが判定される。
【００２１】
ステップＳ１０４において、ＲＥＧ（ｋ’、ｌ’）に、ＰＣＦＩＣＨがマッピングされていないと判定された場合、手続きはステップＳ１０５に進み、ＲＥＧ（ｋ’、ｌ’）に、ＰＨＩＣＨがマッピングされているか否かが判定される。
【００２２】
ステップＳ１０５において、ＲＥＧ（ｋ’、ｌ’）に、ＰＨＩＣＨがマッピングされていないと判定された場合、手続きはステップＳ１０６に進み、ＰＤＣＣＨ  ｓｙｍｂｏｌ−ｑｕａｄｒｕｐｌｅｔが、ＲＥＧ（ｋ’、ｌ’）にマッピングされる。ステップＳ１０７において、ＰＤＣＣＨ  ｓｙｍｂｏｌ−ｑｕａｄｒｕｐｌｅｔ番号ｍ”が１だけインクリメントされ、手続きはステップＳ１０８に進む。
【００２３】
ステップＳ１０３において、配列（ｋ’、ｌ’）が、ＲＥＧ  ｉｎｄｅｘ  ｐａｉｒと等しくないと判定された場合、ステップＳ１０４において、ＲＥＧ（ｋ’、ｌ’）に、ＰＣＦＩＣＨがマッピングされていると判定された場合、およびステップＳ１０５において、ＲＥＧ（ｋ’、ｌ’）に、ＰＨＩＣＨがマッピングされていると判定された場合、手続きはステップＳ１０８に進む。
【００２４】
ステップＳ１０８において、ＯＦＤＭ  ｓｙｍｂｏｌ番号ｌ’が１だけインクリメントされる。
【００２５】
ステップＳ１０９において、ＯＦＤＭ  ｓｙｍｂｏｌ番号ｌ’が番号Ｌ未満であるか否か、すなわち、ＰＤＣＣＨがマッピングされている最大のＯＦＤＭ  ｓｙｍｂｏｌ（番号Ｌ）に達したか否かが判定される。
【００２６】
ステップＳ１０９において、ＯＦＤＭ  ｓｙｍｂｏｌ番号ｌ’が番号Ｌ未満であると判定された場合、ＰＤＣＣＨがマッピングされている最大のＯＦＤＭ  ｓｙｍｂｏｌ（番号Ｌ）に達していないので、手続きはステップＳ１０３に戻り、上述した処理が繰り返される。
【００２７】
ステップＳ１０９において、ＯＦＤＭ  ｓｙｍｂｏｌ番号ｌ’が番号Ｌ未満でないと判定された場合、ＰＤＣＣＨがマッピングされている最大のＯＦＤＭ  ｓｙｍｂｏｌ（番号Ｌ）に達したので、手続きはステップＳ１１０に進み、ＲＥ番号ｋ’が１だけインクリメントされる。
【００２８】
ステップＳ１１１において、ＲＥ番号ｋ’がＰＤＣＣＨがマッピングされている最大のＲＥに達したか否かが判定され、ＲＥ番号ｋ’がＰＤＣＣＨがマッピングされている最大のＲＥに達していないと判定された場合、手続きはステップＳ１０２に戻り、上述した処理が繰り返される。
【００２９】
ステップＳ１１１において、ＲＥ番号ｋ’がＰＤＣＣＨがマッピングされている最大のＲＥに達したと判定された場合、ＰＤＣＣＨのマッピングの処理は終了する。
【００３０】
このように、ＲＥ番号が基準とされて、ＰＤＣＣＨがマッピングされる。
【先行技術文献】
【非特許文献】
【００３１】
【非特許文献１】３ＧＰＰ  ＴＳ  ３６．２１１、“Ｐｈｙｓｉｃａｌ  Ｃｈａｎｎｅｌｓ  ａｎｄ  Ｍｏｄｕｌａｔｉｏｎ”
【発明の概要】
【発明が解決しようとする課題】
【００３２】
図１１のフローチャートに示される手順によれば、ＬＴＥにおけるＰＤＣＣＨのマッピングは低周波数側から時間方向にＯＦＤＭ  ｓｙｍｂｏｌ毎に行われ、さらに、これが順次周波数方向に進められる。ＰＤＣＣＨのマッピングはＰＣＦＩＣＨおよびＰＨＩＣＨがマッピングされているＲＥＧを避けて行なう必要がある。
【００３３】
ここで、図１１のフローチャートに示される手順をそのまま単純に実現しようとすると、ＲＥ番号（図１１におけるｋ’）を基準としているために、ＰＣＦＩＣＨおよびＰＨＩＣＨがマッピングされているＲＥＧの先頭のＲＥ番号を全てメモリに保持しておく必要があり、回路規模が増加してしまう。
【００３４】
そこで、本発明は、上記課題を解決すること、すなわち、回路規模またはメモリをより小さくできる受信装置および受信方法、並びにプログラムを提供することを目的とする。
【課題を解決するための手段】
【００３５】
上記課題を解決するために、本発明の受信装置の一側面は、ＬＴＥ（Ｌｏｎｇ  Ｔｅｒｍ  Ｅｖｏｌｕｔｉｏｎ）に準拠して、送信アンテナ毎に周波数軸上のＲＥ（Ｒｅｓｏｕｒｃｅ  Ｅｌｅｍｅｎｔ）を単位としてマッピングされた信号を受信する受信装置であって、ＲＥのグループであるＲＥＧ（Ｒｅｓｏｕｒｃｅ  Ｅｌｅｍｅｎｔ  Ｇｒｏｕｐ）であって、順に通し番号が付されているＲＥＧのうちの、通し番号の順に注目されたＲＥＧである注目ＲＥＧに、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）またはＰＨＩＣＨ（Ｐｈｙｓｉｃａｌ  ＨＡＲＱ（Ｈｙｂｒｉｄ  Ａｕｔｏｍａｔｉｃ  Ｒｅｐｅａｔ  Ｒｅｑｕｅｓｔ）  Ｉｎｄｉｃａｔｏｒ  Ｃｈａｎｎｅｌ）の少なくとも一方がマッピングされているか否かを判定する判定手段と、注目ＲＥＧに、ＰＣＦＩＣＨおよびＰＨＩＣＨがいずれもマッピングされていないと判定された場合、注目ＲＥＧにＰＤＣＣＨ（Ｐｈｙｓｉｃａｌ  Ｄｏｗｎｌｉｎｋ  Ｃｏｎｔｒｏｌ  Ｃｈａｎｎｅｌ）をデマッピングするＰＤＣＣＨデマッピング手段とを有するものとされている。
【００３６】
また、本発明の受信装置の一側面は、上述の構成に加えて、ＲＥＧにＰＣＦＩＣＨをデマッピングするＰＣＦＩＣＨデマッピング手段と、ＲＥＧにＰＨＩＣＨをデマッピングするＰＨＩＣＨデマッピング手段とをさらに有するものとされている。
【００３７】
さらに、本発明の受信装置の一側面は、上述の構成に加えて、ＰＣＦＩＣＨデマッピング手段が、ＰＣＦＩＣＨがマッピングされたＲＥＧの通し番号のうち最小の通し番号に対応するＰＣＦＩＣＨ  ｓｙｍｂｏｌ−ｑｕａｄｒｕｐｌｅｔ番号を探索し、ＰＨＩＣＨデマッピング手段が、ＰＨＩＣＨがマッピングされたＲＥＧの通し番号のうち最小の通し番号に対応するＰＨＩＣＨ  ｓｙｍｂｏｌ−ｑｕａｄｒｕｐｌｅｔ番号およびＰＨＩＣＨ  ｍａｐｐｉｎｇ  ｕｎｉｔ番号を探索し、判定手段が、ＰＣＦＩＣＨ  ｓｙｍｂｏｌ−ｑｕａｄｒｕｐｌｅｔ番号、ＰＨＩＣＨ  ｓｙｍｂｏｌ−ｑｕａｄｒｕｐｌｅｔ番号、およびＰＨＩＣＨ  ｍａｐｐｉｎｇ  ｕｎｉｔ番号を参照して、注目ＲＥＧに、ＰＣＦＩＣＨまたはＰＨＩＣＨの少なくとも一方がマッピングされているか否かを判定するものとされている。
【００３８】
また、本発明の受信方法の一側面は、ＬＴＥに準拠して、送信アンテナ毎に周波数軸上のＲＥを単位としてマッピングされた信号を受信する受信方法であって、ＲＥのグループであるＲＥＧであって、順に通し番号が付されているＲＥＧのうちの、通し番号の順に注目されたＲＥＧである注目ＲＥＧに、ＰＣＦＩＣＨまたはＰＨＩＣＨの少なくとも一方がマッピングされているか否かを判定する判定ステップと、注目ＲＥＧに、ＰＣＦＩＣＨおよびＰＨＩＣＨがいずれもマッピングされていないと判定された場合、注目ＲＥＧにＰＤＣＣＨをデマッピングするＰＤＣＣＨデマッピングステップとを含むものとされている。
【００３９】
さらに、本発明のプログラムの一側面は、ＬＴＥに準拠して、送信アンテナ毎に周波数軸上のＲＥを単位としてマッピングされた信号を受信する受信装置のコンピュータに、ＲＥのグループであるＲＥＧであって、順に通し番号が付されているＲＥＧのうちの、通し番号の順に注目されたＲＥＧである注目ＲＥＧに、ＰＣＦＩＣＨまたはＰＨＩＣＨの少なくとも一方がマッピングされているか否かを判定する判定ステップと、注目ＲＥＧに、ＰＣＦＩＣＨおよびＰＨＩＣＨがいずれもマッピングされていないと判定された場合、注目ＲＥＧにＰＤＣＣＨをデマッピングするＰＤＣＣＨデマッピングステップとを含む処理を行わせるものとされている。
【発明の効果】
【００４０】
本発明の一側面によれば、回路規模またはメモリをより小さくできる受信装置および受信方法、並びにプログラムを提供することができる。
【図面の簡単な説明】
【００４１】
【図１】受信装置に設けられるデマッピング回路の構成の例を示すブロック図である。
【図２】ＲＥＧ配置を示す図である。
【図３】ＲＥＧ配置を示す図である。
【図４】ＰＤＣＣＨのデマッピングの処理を説明するフローチャートである。
【図５】ＰＣＦＩＣＨのマッピングイメージを示す図である。
【図６】ＰＨＩＣＨのマッピングイメージを示す図である。
【図７】ＰＨＩＣＨのマッピングイメージを示す図である。
【図８】コンピュータのハードウェアの構成例を示すブロック図である。
【図９】従来の通信システムの概略の構成を示すブロック図である。
【図１０】ＰＣＦＩＣＨ、ＰＨＩＣＨ、およびＰＤＣＣＨのマッピングの概略を示す図である。
【図１１】ＰＤＣＣＨのマッピングに必要な、ＰＨＩＣＨおよびＰＣＦＩＣＨのマッピング情報を示す図である。
【図１２】従来のＰＤＣＣＨのマッピングフローを説明するフローチャートである。
【発明を実施するための形態】
【００４２】
以下、本発明の一実施の形態の受信装置について、図１〜図８を参照しながら説明する。
【００４３】
図１は、例えば、携帯電話機などである受信装置に設けられるデマッピング回路の構成の例を示すブロック図である。デマッピング回路には、ＰＣＦＩＣＨデマッピング部１１、ＰＨＩＣＨデマッピング部１２、およびＰＤＣＣＨデマッピング部１３が設けられる。ＰＣＦＩＣＨデマッピング部１１は、ＰＣＦＩＣＨがマッピングされるＲＥＧのＲＥＧ番号を出力する。ＰＨＩＣＨデマッピング部１２は、ＰＨＩＣＨ  ｓｙｍｂｏｌ−ｑｕａｄｒｕｐｌｅｔがマッピングされるＲＥＧのＲＥＧ番号を出力する。ＰＤＣＣＨデマッピング部１３は、ＰＤＣＣＨがマッピングされるＲＥＧのＲＥＧ番号を出力する。
【００４４】
ＰＣＦＩＣＨデマッピング部１１およびＰＨＩＣＨデマッピング部１２は、ＰＤＣＣＨデマッピング部１３に、ＰＤＣＣＨデマッピングのためのパラメータを出力する。
【００４５】
ＰＤＣＣＨデマッピング部１３には、メモリ２１、内部パラメータ記憶部２２、ＲＥＧカウンタ２３、コンパレータ２４、カウンタ２５、ＲＥＧペア部２６、および制御部２７が設けられる。
【００４６】
メモリ２１は、ＰＣＦＩＣＨデマッピング部１１およびＰＨＩＣＨデマッピング部１２が出力する各種のパラメータを格納する。
【００４７】
また、内部パラメータ記憶部２２は、ＰＣＦＩＣＨ  ｓｙｍｂｏｌ−ｑｕａｄｒｕｐｌｅｔ番号
【数１】
0005408722.tif 000002
ＰＨＩＣＨ  ｓｙｍｂｏｌ−ｑｕａｄｒｕｐｌｅｔ番号
【数２】
0005408722.tif 000003
およびＰＨＩＣＨ  ｍａｐｐｉｎｇ  ｕｎｉｔ番号
【数３】
0005408722.tif 000004
を記憶する。ＰＣＦＩＣＨ  ｓｙｍｂｏｌ−ｑｕａｄｒｕｐｌｅｔ番号［数１］、ＰＨＩＣＨ  ｓｙｍｂｏｌ−ｑｕａｄｒｕｐｌｅｔ番号［数２］、およびＰＨＩＣＨ  ｍａｐｐｉｎｇ  ｕｎｉｔ番号［数３］の詳細は後述する。
【００４８】
ＲＥＧカウンタ２３は、各ＣＨのＲＥＧをカウントする。コンパレータ２４は、ＲＥＧの判別を行なう。カウンタ２５は、ＰＤＣＣＨ番号やＯＦＤＭ  ｓｙｍｂｏｌ番号をカウントする。ＲＥＧペア部２６は、コンパレータ２４の出力からＰＤＣＣＨのデマッピングを行なう。制御部２７は、ＰＤＣＣＨデマッピング部１３全体を制御する。
【００４９】
ＰＣＦＩＣＨデマッピング部１１は、ＰＣＦＩＣＨのデマッピングを行なう。また、このとき、ＰＣＦＩＣＨデマッピング部１１は、ＰＤＣＣＨのデマッピングのためにＰＣＦＩＣＨがマッピングされる最小のＲＥＧ番号に対応するＰＣＦＩＣＨ  ｓｙｍｂｏｌ−ｑｕａｄｒｕｐｌｅｔ番号［数１］を探索し出力する。ＰＣＦＩＣＨ  ｓｙｍｂｏｌ−ｑｕａｄｒｕｐｌｅｔ番号［数１］は、ＰＤＣＣＨデマッピング部１３内のメモリ２１に格納される。
【００５０】
ＰＨＩＣＨデマッピング部１２は、ＰＨＩＣＨのデマッピングを行なう。また、このとき、ＰＨＩＣＨデマッピング部１２は、ＰＤＣＣＨのデマッピングのためにＰＨＩＣＨがマッピングされる最小のＲＥＧ番号に対応するＰＨＩＣＨ  ｓｙｍｂｏｌ−ｑｕａｄｒｕｐｌｅｔ番号［数２］およびＰＨＩＣＨ  ｍａｐｐｉｎｇ  ｕｎｉｔ番号［数３］を探索し出力する。ＰＨＩＣＨ  ｓｙｍｂｏｌ−ｑｕａｄｒｕｐｌｅｔ番号［数２］およびＰＨＩＣＨ  ｍａｐｐｉｎｇ  ｕｎｉｔ番号［数３］は、ＰＤＣＣＨデマッピング部１３内のメモリ２１に格納される。
【００５１】
内部パラメータ記憶部２２は、図４のフローチャートを参照して説明する初期化の手続き（ステップＳ１３）において、パラメータとしての、ＰＣＦＩＣＨ  ｓｙｍｂｏｌ−ｑｕａｄｒｕｐｌｅｔ番号
【数４】
0005408722.tif 000005
ＰＨＩＣＨ  ｓｙｍｂｏｌ−ｑｕａｄｒｕｐｌｅｔ番号
【数５】
0005408722.tif 000006
およびＰＨＩＣＨ  ｍａｐｐｉｎｇ  ｕｎｉｔ番号
【数６】
0005408722.tif 000007
を、それぞれ、ＰＣＦＩＣＨ  ｓｙｍｂｏｌ−ｑｕａｄｒｕｐｌｅｔ番号［数１］、ＰＨＩＣＨ  ｓｙｍｂｏｌ−ｑｕａｄｒｕｐｌｅｔ番号［数２］、およびＰＨＩＣＨ  ｍａｐｐｉｎｇ  ｕｎｉｔ番号［数３］に初期化する。また、内部パラメータ記憶部２２は、図４のフローチャートを参照して説明するＰＣＦＩＣＨ関連の更新の手続き（ステップＳ２４）およびＰＨＩＣＨ関連の更新の手続き（ステップＳ２６）において、各パラメータを更新する。
【００５２】
ＲＥＧカウンタ２３は、ＰＣＦＩＣＨ、ＰＨＩＣＨ、およびＰＤＣＣＨ用にＲＥＧ番号をカウントする。ＲＥＧカウンタ２３は、図４のフローチャートを参照して説明する初期化の手続き（ステップＳ１３）において、同初期化後の内部パラメータにより初期化される。
【００５３】
ＲＥＧカウンタ２３は、制御部２７に制御されて、図４のフローチャートを参照して説明するＰＣＦＩＣＨ関連の更新の手続き（ステップＳ２４）およびＰＨＩＣＨ関連の更新の手続き（ステップＳ２６）において、ＰＣＦＩＣＨ関連の更新およびＰＨＩＣＨ関連の更新を行なう。また、ＰＤＣＣＨ用にＲＥＧ番号をカウントするＲＥＧカウンタ２３は、ＯＦＤＭ  ｓｙｍｂｏｌ分設けられ、制御部２７に制御されて、ＲＥＧ番号を適時１インクリメントする。
【００５４】
すなわち、ＲＥＧカウンタ２３は、ＰＣＦＩＣＨ、ＰＨＩＣＨ、およびＰＤＣＣＨ用のそれぞれについて、ＲＥＧ番号をカウントし、ＲＥＧカウンタ２３のそれぞれのカウント値は、それぞれのＲＥＧ番号を示す。
【００５５】
コンパレータ２４は、ＲＥＧカウンタ２３からＰＤＣＣＨ用のＲＥＧカウント値を受取り、ＲＥＧ番号で示されるＲＥＧがＰＤＣＣＨのＲＥＧであるか否かを判定する。この判定は、図４のフローチャートを参照して説明するステップＳ２２の手続きにおいて行われる。ここでＲＥＧであると判定されると、コンパレータ２４は、続いて、ＲＥＧカウンタ２３からＰＣＦＩＣＨ用のＲＥＧカウント値を受取り、ＰＣＦＩＣＨ用のＲＥＧカウント値が、ＰＤＣＣＨ用のＲＥＧカウント値と同じであるか否か判定し、その結果を制御部２７に返す。
【００５６】
次に、コンパレータ２４は、ＲＥＧカウンタ２３からＰＨＩＣＨ用のＲＥＧカウント値を受取り、同様に、ＰＨＩＣＨ用のＲＥＧカウント値が、ＰＤＣＣＨ用のＲＥＧカウント値と同じであるか否か判定し、その結果を制御部２７に返す。ＰＤＣＣＨ用のＲＥＧカウント値が、ＰＣＦＩＣＨ用のＲＥＧカウント値と等しくなく、ＰＨＩＣＨ用のＲＥＧカウント値とも等しくなければ、ＰＤＣＣＨ用のＲＥＧカウント値で示されるＲＥＧが、ＰＤＣＣＨがマッピングされているＲＥＧであるとみなすことが出来るため、ＲＥＧペア部２６にその旨出力する。
【００５７】
カウンタ２５は、ＰＤＣＣＨ  ｓｙｍｂｏｌ−ｑｕａｄｒｕｐｌｅｔ番号ｍ”とＯＦＤＭ  ｓｙｍｂｏｌ番号ｌ’をもち、適時制御部２７にしたがって、ＰＤＣＣＨ  ｓｙｍｂｏｌ−ｑｕａｄｒｕｐｌｅｔ番号ｍ”とＯＦＤＭ  ｓｙｍｂｏｌ番号ｌ’を初期化するか、または１だけインクリメントする。
【００５８】
制御部２７は、図４のフローチャートを参照して説明する手続きに従って内部パラメータ記憶部２２、ＲＥＧカウンタ２３、コンパレータ２４、およびカウンタ２５を制御する。
【００５９】
なお、その他のパラメータは、外部から入力される。
【００６０】
ここで、ＰＤＣＣＨのデマッピングでは、ＲＥ番号の代わりに、ＲＥＧにＲＥＧ番号を付けて用いる。ＲＥＧの配置は１ＲＢ（Ｒｅｓｏｕｒｃｅ  Ｂｌｏｃｋ）毎に共通である。よって、ＰＤＣＣＨのデマッピングは、１ＲＢ単位に行なうこととする。図２および図３は、取りうる全てのＲＥＧ配置を示す図である。図２は、送信アンテナの数が１または２である場合の、ＲＥＧ配置を示す図である。図３は、送信アンテナの数が４である場合の、ＲＥＧ配置を示す図である。図２および図３における四角は、それぞれ、１つのＲＥＧを示す。なお、図２および図３において、横方向は、時間方向を示し、縦方向は、周波数方向を示す。
【００６１】
１ＲＢ内のＲＥＧは、ＲＳ無しのＯＦＤＭ  ｓｙｍｂｏｌでは上段、中段、下段の３つに分けて配置される。よって１ＲＢのデマッピング処理は３段階を基本とする。なお、図２および図３の各ＲＥＧのセル（四角）内にある数値は、１ＲＢ内のＰＤＣＣＨ  ｓｙｍｂｏｌ−ｑｕａｄｒｕｐｌｅｔ番号を示す。ここで、簡単のため図２および図３ではＰＣＦＩＣＨやＰＨＩＣＨを考慮していないが、実際には、ＰＤＣＣＨは、ＰＣＦＩＣＨやＰＨＩＣＨがマッピングされているＲＥＧを避けてマッピングする必要があるため、ＰＤＣＣＨ  ｓｙｍｂｏｌ−ｑｕａｄｒｕｐｌｅｔ番号は、図２および図３に示される数値とはならない場合がある。
【００６２】
次に、図４のフローチャートを参照して、ＰＤＣＣＨのデマッピングの処理を説明する。ステップＳ１１において、ＰＣＦＩＣＨデマッピング部１１は、ＰＣＦＩＣＨをデマッピングする。ＰＣＦＩＣＨは、ＯＦＤＭ  ｓｙｍｂｏｌ＃０にマッピングされる。図５は、ＰＣＦＩＣＨのマッピングイメージを示す図である。図５における四角は、それぞれ、１つのＲＥＧを示し、斜線の付されている四角は、ＰＣＦＩＣＨがデマッピングされているＲＥＧを示す。図５において、四角に付されている数字は、ＰＣＦＩＣＨ  ｓｙｍｂｏｌ−ｑｕａｄｒｕｐｌｅｔ番号を示す。
【００６３】
ここで、ＰＣＦＩＣＨのマッピングパターンを計算するアルゴリズムは、非特許文献１によれば式（１）で表される。ｋはマッピングパターンとなる。１つのＯＦＤＭ  ｓｙｍｂｏｌ分のＲＢ数
【数７】
0005408722.tif 000008
は、システム帯域幅により６，１５，２５，５０，７５，１００の６通りとなる。１つのＲＢ分のＳＣ（Ｓｕｂ−ｃａｒｒｉｅｒ）数
【数８】
0005408722.tif 000009
は、定数であり、１２となる。また、
【数９】
0005408722.tif 000010
は、床関数である。
【数１０】
0005408722.tif 000011
・・・式（１）
【００６４】
ただし、式（１）において、ｋは
【数１１】
0005408722.tif 000012
の剰余とする。また、
【数１２】
0005408722.tif 000013
は、式（２）で計算される。
【数１３】
0005408722.tif 000014
・・・式（２）
Ｐｈｙｓｉｃａｌ−ｌａｙｅｒ  ｃｅｌｌ  ｉｄｅｎｔｉｔｙ
【数１４】
0005408722.tif 000015
は、基地局毎に振られた番号であり、０〜５０３の値域をとる。
【００６５】
上記数式を見ると、［数１２］は
【数１５】
0005408722.tif 000016
つまり６の倍数であることが分かる。ＰＣＦＩＣＨがマッピングされるＯＦＤＭ  ｓｙｍｂｏｌ＃０はＲＳ有りのため、ＲＥＧサイズも同様に６となる。従って、ＰＣＦＩＣＨがマッピングされるＲＥＧ番号は、式（３）により算出できる。ここで、
【数１６】
0005408722.tif 000017
は［数１２］を［数１５］で除算することにより計算される。
【数１７】
0005408722.tif 000018
・・・式（３）
【００６６】
ただし、［数１６］は
【数１８】
0005408722.tif 000019
の剰余とする。また、
【数１９】
0005408722.tif 000020
についても同様に［数１８］の剰余とする。これは、例えば、式（３）の右辺第２項の加算結果が［数１８］以上になる場合に、加算結果から［数１８］を減算するなどで求められる。ＰＤＣＣＨのデマッピングのために、［数１９］が最小となるＰＣＦＩＣＨ  ｓｙｍｂｏｌ−ｑｕａｄｒｕｐｌｅｔ番号を求めて［数１］とする。ここで、ｉはＰＣＦＩＣＨ  ｓｙｍｂｏｌ−ｑｕａｄｒｕｐｌｅｔ番号として、０〜３の値をとる。
【００６７】
次に、ステップＳ１２において、ＰＨＩＣＨデマッピング部１２は、ＰＨＩＣＨをデマッピングする。
【００６８】
ＰＨＩＣＨは、通常ＯＦＤＭ  ｓｙｍｂｏｌ＃０にマッピングされるが、Ｅｘｔｅｎｄｅｄ  ＰＨＩＣＨ  ｄｕｒａｔｉｏｎの場合、複数のＯＦＤＭ  ｓｙｍｂｏｌにマッピングされる。
【００６９】
図６は、通常のＰＨＩＣＨのマッピングイメージを示す図である。図７は、Ｅｘｔｅｎｄｅｄ  ＰＨＩＣＨ  ｄｕｒａｔｉｏｎの場合における、ＰＨＩＣＨのマッピングイメージを示す図である。図７の右側は、Ｅｘｔｅｎｄｅｄ  ＰＨＩＣＨ  ｄｕｒａｔｉｏｎでかつＭＢＳＦＮ  ｓｕｂｆｒａｍｅの場合における、ＰＨＩＣＨのマッピングイメージを示す。Ｅｘｔｅｎｄｅｄ  ＰＨＩＣＨ  ｄｕｒａｔｉｏｎでかつＭＢＳＦＮ  ｓｕｂｆｒａｍｅの場合において、２ＯＦＤＭ  ｓｙｍｂｏｌ上に、２ＲＥＧ毎に交互にマッピングされるが、図７では簡略化して１ＲＥＧ毎に交互にマッピングされるものとして表されている。
【００７０】
図６および図７における四角は、それぞれ、１つのＲＥＧを示し、斜線の付されている四角は、ＰＨＩＣＨがデマッピングされているＲＥＧを示す。図６および図７において、四角に付されている数字は、ＰＨＩＣＨ  ｓｙｍｂｏｌ−ｑｕａｄｒｕｐｌｅｔ番号を示す。
【００７１】
ここで、ＰＨＩＣＨのマッピングパターンを計算するアルゴリズムは、非特許文献１によれば次の通りとなる。まず、式（４）により、ＰＨＩＣＨがマッピングされるＯＦＤＭ  ｓｙｍｂｏｌ番号ｌｉ’が決定される。
【数２０】
0005408722.tif 000021
・・・式（４）
ＰＨＩＣＨ  ｓｙｍｂｏｌ−ｑｕａｄｒｕｐｌｅｔ番号ｉは、０〜２の値をとる。ＰＨＩＣＨ  ｍａｐｐｉｎｇ  ｕｎｉｔ番号ｍ’は、ＮｏｒｍａｌＣＰ時において、ＰＨＩＣＨ  ｇｒｏｕｐ番号（０〜２５）、ＥｘｔｅｎｄｅｄＣＰ時において、ＰＨＩＣＨ  ｇｒｏｕｐ番号（０〜５０）を２で割って小数点以下を切り捨てた値をとる。
【００７２】
ＰＨＩＣＨは、Ｅｘｔｅｎｄｅｄ  ＰＨＩＣＨ ｄｕｒａｔｉｏｎでかつＭＢＳＦＮ  ｓｕｂｆｒａｍｅの場合、２ＯＦＤＭ  ｓｙｍｂｏｌに、また単にＥｘｔｅｎｄｅｄ  ＰＨＩＣＨ  ｄｕｒａｔｉｏｎの場合、３ＯＦＤＭ  ｓｙｍｂｏｌにマッピングされる。ＰＨＩＣＨは、Ｎｏｒｍａｌ  ＰＨＩＣＨ  ｄｕｒａｔｉｏｎの場合、ＯＦＤＭ  ｓｙｍｂｏｌ＃０にマッピングされる。
【００７３】
続いて各ＯＦＤＭ  ｓｙｍｂｏｌにおけるＰＨＩＣＨがマッピングされるＲＥＧ番号が次のように決定される。
【００７４】
Ｅｘｔｅｎｄｅｄ  ＰＨＩＣＨ ｄｕｒａｔｉｏｎでかつＭＢＳＦＮ  ｓｕｂｆｒａｍｅの場合、式（５）により、ＰＨＩＣＨがマッピングされるＲＥＧ番号が決定される。
【数２１】
0005408722.tif 000022
・・・式（５）
【００７５】
その他の場合、式（６）により、ＰＨＩＣＨがマッピングされるＲＥＧ番号が決定される。
【数２２】
0005408722.tif 000023
・・・式（６）
【００７６】
ここで、ｉ番目のＰＨＩＣＨ ｓｙｍｂｏｌ−ｑｕａｄｒｕｐｌｅｔがマッピングされるＲＥＧ番号は、
【数２３】
0005408722.tif 000024
で表される。ＯＦＤＭ  ｓｙｍｂｏｌ番号ｌｉ’のＲＥＧ数
【数２４】
0005408722.tif 000025
は、ＯＦＤＭ  ｓｙｍｂｏｌ＃０の場合、ＰＣＦＩＣＨがマッピングされたＲＥＧを除いたＲＥＧ数となる。
【００７７】
ＰＨＩＣＨのデマッピング時に、［数２３］が最小になる位置のＰＨＩＣＨ  ｓｙｍｂｏｌ−ｑｕａｄｒｕｐｌｅｔ番号ｉとＰＨＩＣＨ  ｍａｐｐｉｎｇ  ｕｎｉｔ番号ｍ’が探索され、それぞれ［数２］および［数３］に格納される。ここで、Ｅｘｔｅｎｄｅｄ  ＰＨＩＣＨ  ｄｕｒａｔｉｏｎの場合、ＰＨＩＣＨが複数ＯＦＤＭ  ｓｙｍｂｏｌにマッピングされる。この場合、ＯＦＤＭ  ｓｙｍｂｏｌ毎にメモリ２１に保持される。
【００７８】
ステップＳ１３において、内部パラメータ記憶部２２、ＲＥＧカウンタ２３、カウンタ２５は、ＰＤＣＣＨ  ｓｙｍｂｏｌ−ｑｕａｄｒｕｐｌｅｔ番号およびＲＥＧ番号、ＰＣＦＩＣＨがマッピングされる最小のＲＥＧ番号、並びにＰＨＩＣＨがマッピングされる最小のＲＥＧ番号をそれぞれ初期化する。
【００７９】
すなわち、ＲＥＧカウンタ２３は、ｍ”に０を設定することで、ＰＤＣＣＨ  ｓｙｍｂｏｌ  ｑｕａｄｒｕｐｌｅｔ番号を初期化する。
【００８０】
また、内部パラメータ記憶部２２は、式（７）に示されるように、ＰＣＦＩＣＨ  ｓｙｍｂｏｌ  ｑｕａｄｒｕｐｌｅｔ番号を初期化する。
【数２５】
0005408722.tif 000026
・・・式（７）
【００８１】
さらに、ＲＥＧカウンタ２３は、式（８）に示されるように、ＰＣＦＩＣＨ  ＲＥＧ番号を初期化する。
【数２６】
0005408722.tif 000027
・・・式（８）
【００８２】
さらに、変数ｉを０から１ずつインクリメントして、変数ｉが、ＰＤＣＣＨがマッピングされているＯＦＤＭ  ｓｙｍｂｏｌ数Ｌ未満である間、式（９）および式（１０）により、内部パラメータ記憶部２２において、ＰＨＩＣＨ  ｓｙｍｂｏｌ  ｑｕａｄｒｕｐｌｅｔ番号、ＰＨＩＣＨ  ｍａｐｐｉｎｇ  ｕｎｉｔ番号、およびＰＨＩＣＨ  ＲＥＧ番号が初期化される。
【数２７】
0005408722.tif 000028
・・・式（９）
なお、変数iは０から、ＰＤＣＣＨがマッピングされているＯＦＤＭ  ｓｙｍｂｏｌ数Ｌ未満までインクリメントされるが、ＰＨＩＣＨ  ｓｙｍｂｏｌ  ｑｕａｄｒｕｐｌｅｔ番号、ＰＨＩＣＨ  ｍａｐｐｉｎｇ  ｕｎｉｔ番号、およびＰＨＩＣＨ  ＲＥＧ番号の式（９）による初期化は、変数iが、ＰＨＩＣＨがマッピングされているＯＦＤＭ  ｓｙｍｂｏｌ数Ｌ’未満の場合に行われる。
【００８３】
変数ｉが、１ずつインクリメントされて、ＰＤＣＣＨがマッピングされているＯＦＤＭ  ｓｙｍｂｏｌ数Ｌ未満でなくなった場合、あるいは、変数iが、ＰＨＩＣＨがマッピングされているＯＦＤＭ  ｓｙｍｂｏｌ数Ｌ’未満でなくなった場合、式（１０）に示されるように、内部パラメータ記憶部２２において、ＰＨＩＣＨがマッピングされていないＯＦＤＭ  ｓｙｍｂｏｌでは実在しない大きな値で初期化される。
【数２８】
0005408722.tif 000029
・・・式（１０）
【００８４】
なお、
【数２９】
0005408722.tif 000030
には実在しない大きな値として３０１などを代入してもよいが、そもそもＰＣＦＩＣＨの判定をｌ’＝０のときにのみ行なうようにしてもよい。
【００８５】
ここで、１つのＲＢに含まれるＲＥＧについて説明する。
【００８６】
１つのＲＢに含まれるＲＥＧの数は、そのＯＦＤＭ  ｓｙｍｂｏｌにＲＳがマッピングされているか否かにより決まり、ＲＳ有りの場合、２、無しの場合、３となる。ここで、処理を単純化するため、１つのＲＢに含まれるＲＥＧの数はすべて３であると仮定する。
【００８７】
以下、それぞれ周波数の低いＲＥＧから下段、中段、上段と称する。ＲＳの有無はＯＦＤＭ  ｓｙｍｂｏｌ、ＴｘＡｎｔ数およびＣＰ長に依存する。ＲＥＧの数が２の場合、中段がない、ということになり、後段の処理にて「ＲＥＧではない」と判定され、ステップＳ２３〜ステップＳ２９の手続きがスキップされることになる。
【００８８】
なお、Ｅｘｔｅｎｄｅｄ  ＣＰかつ狭帯域（ＲＢ数が１０以下）でＣＦＩが３の場合のみ、ＯＦＤＭ  ｓｙｍｂｏｌ＃３のＲＥＧ数が２となり、中段がないということになる。このとき、ＴｘＡｎｔ数が４本の場合はＯＦＤＭ  ｓｙｍｂｏｌ＃２、それ以外の場合はＯＦＤＭ  ｓｙｍｂｏｌ＃１と＃２の上段のＲＥＧより先に、ＯＦＤＭ  ｓｙｍｂｏｌ＃３の上段のＲＥＧにＰＤＣＣＨをマッピングする必要があるので注意を要する。
【００８９】
ステップＳ１４およびステップＳ１５において、次に説明するステップＳ２１〜Ｓ３１の手続きが、１つのＲＢ内の、下段、中段、上段について繰り返される。
【００９０】
ステップＳ２１において、カウンタ２５は、ＯＦＤＭ  ｓｙｍｂｏｌ番号ｌｉ’を０にする。ステップＳ２２において、コンパレータ２４は、ＲＥＧカウンタ２３からＰＤＣＣＨ用のＲＥＧカウント値を受取り、ＰＤＣＣＨのＲＥＧであるか否かを判定し、ＲＥＧであると判定された場合、手続きはステップＳ２３に進む。
【００９１】
ステップＳ２２において、ＲＥＧであると判定された場合、手続きはステップＳ２３に進む。
【００９２】
ステップＳ２３において、コンパレータ２４は、ＲＥＧカウンタ２３からＰＣＦＩＣＨ用のＲＥＧカウント値を受取り、ＰＣＦＩＣＨ用のＲＥＧカウント値が、ＰＤＣＣＨ用のＲＥＧカウント値と同じであるか否か判定することで、ＰＤＣＣＨ用のＲＥＧカウント値で示されるＲＥＧにＰＣＦＩＣＨがマッピングされているか否かを判定する。
【００９３】
ステップＳ２３において、ＰＤＣＣＨ用のＲＥＧカウント値で示されるＲＥＧにＰＣＦＩＣＨがマッピングされていると判定された場合、手続きはステップＳ２４に進み、ＲＥＧカウンタ２３において、ＰＣＦＩＣＨ関連の更新がなされる。
【００９４】
すなわち、ＰＣＦＩＣＨがマッピングされているＲＥＧに到達した場合、そのＲＥＧへのＰＤＣＣＨのマッピングはスキップされる。この時、ＰＣＦＩＣＨがマッピングされているＲＥＧについては、次のＰＣＦＩＣＨ  ｓｙｍｂｏｌ−ｑｕａｄｒｕｐｌｅｔ番号のものに更新される。式（１１）に示される演算により、ＰＣＦＩＣＨ  ｓｙｍｂｏｌ  ｑｕａｄｒｕｐｌｅｔ番号が更新され、式（１２）に示される演算により、ＰＣＦＩＣＨ  ＲＥＧ番号が更新される。ＰＣＦＩＣＨ  ｓｙｍｂｏｌ−ｑｕａｄｒｕｐｌｅｔ数は４であるため、ｍｏｄ  ４の演算となる。また
【数３０】
0005408722.tif 000031
も
【数３１】
0005408722.tif 000032
の剰余とする。
【数３２】
0005408722.tif 000033
・・・式（１１）
【数３３】
0005408722.tif 000034
・・・式（１２）
【００９５】
ステップＳ２４の後、手続きはステップＳ２９に進む。
【００９６】
ステップＳ２３において、ＰＤＣＣＨ用のＲＥＧカウント値で示されるＲＥＧにＰＣＦＩＣＨがマッピングされていないと判定された場合、手続きはステップＳ２５に進む。ステップＳ２５において、コンパレータ２４は、ＲＥＧカウンタ２３からＰＨＩＣＨ用のＲＥＧカウント値を受取り、ＰＨＩＣＨ用のＲＥＧカウント値が、ＰＤＣＣＨ用のＲＥＧカウント値と同じであるか否か判定することで、ＰＤＣＣＨ用のＲＥＧカウント値で示されるＲＥＧにＰＨＩＣＨがマッピングされているか否かを判定する。
【００９７】
ステップＳ２５において、ＰＤＣＣＨ用のＲＥＧカウント値で示されるＲＥＧにＰＨＩＣＨがマッピングされていると判定された場合、手続きはステップＳ２６に進み、ＲＥＧカウンタ２３において、ＰＨＩＣＨ関連の更新がなされる。
【００９８】
すなわち、ＰＨＩＣＨがマッピングされているＲＥＧに到達した場合、そのＲＥＧへのＰＤＣＣＨのマッピングはスキップされる。この時、ＰＨＩＣＨがマッピングされているＲＥＧについては、次のＰＨＩＣＨ  ｓｙｍｂｏｌ−ｑｕａｄｒｕｐｌｅｔ番号のものに更新される。ＰＨＩＣＨ  ｓｙｍｂｏｌ−ｑｕａｄｒｕｐｌｅｔ数は３であるため、ｍｏｄ  ３の演算となる。なお、ここでは説明簡略化のためにＭＢＳＦＮのケースを考慮せず記載する。
【００９９】
より詳細には、式（１３）で示される条件が成り立つ場合、式（１４）に示される演算により、ＰＨＩＣＨ  ｓｙｍｂｏｌ−ｑｕａｄｒｕｐｌｅｔ番号が更新される。
【数３４】
0005408722.tif 000035
・・・式（１３）
【数３５】
0005408722.tif 000036
・・・式（１４）
【０１００】
すなわち、式（１３）で示される条件が成り立つ、ＰＨＩＣＨ  ｍａｐｐｉｎｇ  ｕｎｉｔ番号
【数３６】
0005408722.tif 000037
がＰＨＩＣＨ  ｍａｐｐｉｎｇ  ｕｎｉｔ数
【数３７】
0005408722.tif 000038
に達していたら、ＰＨＩＣＨ  ｓｙｍｂｏｌ−ｑｕａｄｒｕｐｌｅｔ番号
【数３８】
0005408722.tif 000039
が更新されて、式（１５）に示されるように、ＰＨＩＣＨ  ｍａｐｐｉｎｇ  ｕｎｉｔ番号
【数３９】
0005408722.tif 000040
が０に初期化される。
【数４０】
0005408722.tif 000041
・・・式（１５）
【０１０１】
式（１３）で示される条件が成り立たない場合、式（１６）に示されるように、ＰＨＩＣＨ  ｍａｐｐｉｎｇ  ｕｎｉｔ番号
【数４１】
0005408722.tif 000042
が１だけインクリメントされる。
【数４２】
0005408722.tif 000043
・・・式（１６）
【０１０２】
式（１３）〜式（１６）に示される更新の後、式（１７）に示されるように、ＰＨＩＣＨがマッピングされるＲＥＧ番号
【数４３】
0005408722.tif 000044
が更新される。
【数４４】
0005408722.tif 000045
・・・式（１７）
【０１０３】
ここで、ＭＢＳＦＮのケースを考慮しない場合、ＰＨＩＣＨ  ｓｙｍｂｏｌ−ｑｕａｄｒｕｐｌｅｔは、ＰＨＩＣＨ  ｍａｐｐｉｎｇ  ｕｎｉｔ単位に連続にマッピングされるため、ＰＨＩＣＨがマッピングされているＲＥＧの更新は
【数４５】
0005408722.tif 000046
を参照せずに、
【数４６】
0005408722.tif 000047
を１だけインクリメントすることで算出できる。なお、ＭＢＳＦＮのケースでは２ＲＥＧ単位にＯＦＤＭ  ｓｙｍｂｏｌが代わるため、３だけインクリメントされることになる。また、ＰＨＩＣＨ  ｓｙｍｂｏｌ−ｑｕａｄｒｕｐｌｅｔ番号
【数４７】
0005408722.tif 000048
の更新時にも２ＲＥＧ単位の考慮が必要となる。
【０１０４】
ステップＳ２６の後、手続きはステップＳ２９に進む。
【０１０５】
ステップＳ２５において、ＰＤＣＣＨ用のＲＥＧカウント値で示されるＲＥＧにＰＨＩＣＨがマッピングされていないと判定された場合、手続きはステップＳ２７に進み、ＲＥＧペア部２６は、ＰＤＣＣＨのデマッピングを行なう。すなわち、ＲＥＧペア部２６は、ＰＤＣＣＨ用のＲＥＧカウント値で示される、ＰＤＣＣＨ  ｓｙｍｂｏｌ−ｑｕａｄｒｕｐｌｅｔ番号のＲＥＧをデマッピングする。ここで、ここで、ｎＲＳは、ＲＥＧ内のＲＳ数を示し、０または２である。
【０１０６】
ステップＳ２８において、内部パラメータ記憶部２２は、ＰＤＣＣＨ  ｓｙｍｂｏｌ−ｑｕａｄｒｕｐｌｅｔ番号ｍ”を１だけインクリメントする。ステップＳ２９において、ＲＥＧカウンタ２３は、ＯＦＤＭ  ｓｙｍｂｏｌ毎のＲＥＧ番号を１だけインクリメントする。
【０１０７】
ステップＳ３０において、ＲＥＧカウンタ２３は、ＯＦＤＭ  ｓｙｍｂｏｌ番号ｌ’を１だけインクリメントする。ステップＳ３１において、コンパレータ２４は、ＯＦＤＭ  ｓｙｍｂｏｌ番号ｌ’がＰＤＣＣＨがマッピングされているＯＦＤＭ  ｓｙｍｂｏｌ数Ｌに達したか否かを判定する。ステップＳ３１において、ＯＦＤＭ  ｓｙｍｂｏｌ番号ｌ’がＰＤＣＣＨがマッピングされているＯＦＤＭ  ｓｙｍｂｏｌ数Ｌに達していないと判定された場合、手続きは、ステップＳ２２に戻り、上述した処理が繰り返される。
【０１０８】
ステップＳ１４およびステップＳ１５において、１つのＲＢ内の、下段、中段、上段について上述した処理が繰り返されると、手続きはステップＳ１６に進み、制御部２７は、ｎＲＥＧ［０］が１つのＯＦＤＭ  ｓｙｍｂｏｌ分のＲＢ数［数７］の２倍に等しいか否かを判定し、ｎＲＥＧ［０］が１つのＯＦＤＭ  ｓｙｍｂｏｌ分のＲＢ数［数７］の２倍に等しくないと判定された場合、手続きはステップＳ１４に戻り、上述した処理が繰り返される。
【０１０９】
ステップＳ１６において、ｎＲＥＧ［０］が１つのＯＦＤＭ  ｓｙｍｂｏｌ分のＲＢ数［数７］の２倍に等しいと判定された場合、ＰＤＣＣＨのデマッピングの処理は終了する。
【０１１０】
このように、ＰＤＣＣＨのデマッピングではＲＥ番号の代わりに、ＲＥＧに番号がふられて用いられる。そして、ＰＤＣＣＨのデマッピング時、ＰＣＦＩＣＨおよびＰＨＩＣＨがマッピングされているＲＥＧの番号を昇順に算出しながら避けることにより、従来必要であった「ＰＣＦＩＣＨおよびＰＨＩＣＨがマッピングされているＲＥＧの先頭のＲＥ番号を全て保持するためのメモリ」を不要とすることができる。すなわち、ＬＴＥにおいて、小規模回路にてＰＤＣＣＨデマッピングすることが可能になる。
【０１１１】
以上のように、ＬＴＥにおける制御ＣＨのデマッピング処理に適用することができる。
【０１１２】
なお、以上の説明ではＰＣＦＩＣＨがマッピングされた最小のＲＥＧ番号に対応するＰＣＦＩＣＨ  ｓｙｍｂｏｌ−ｑｕａｄｒｕｐｌｅｔ番号を探索し、ＰＤＣＣＨのデマッピングではそこから順次ＰＣＦＩＣＨのデマッピングパタンを生成して使用する方法を記載したが、そもそもＰＣＦＩＣＨのデマッピングパタン４つを保持しておいて順次使用するようにしてもよいし、または４つのパタンを並び替えて使用するようにしてもよい。
【０１１３】
くわえて、ＰＨＩＣＨがマッピングされた最小のＲＥＧ番号に対応するＰＨＩＣＨ  ｓｙｍｂｏｌ−ｑｕａｄｒｕｐｌｅｔ番号およびＰＨＩＣＨ  ｍａｐｐｉｎｇ  ｕｎｉｔ番号を探索し、ＰＤＣＣＨのデマッピングではまずＰＨＩＣＨ  ｓｙｍｂｏｌ−ｑｕａｄｒｕｐｌｅｔ番号とＰＨＩＣＨ  ｍａｐｐｉｎｇ  ｕｎｉｔ番号を初期化してからＰＨＩＣＨのＲＥＧ番号を初期化したが、ＰＨＩＣＨデマッピング時にＰＨＩＣＨがマッピングされた最小のＲＥＧ番号を探索しているので、それを保持しておいてＰＤＣＣＨのデマッピングで利用してもよい。
【０１１４】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１１５】
図８は、上述した一連の処理をプログラムにより実行するコンピュータのハードウェアの構成例を示すブロック図である。
【０１１６】
コンピュータにおいて、CPU（Central Processing Unit）５１，ROM（Read Only Memory）５２，RAM（Random Access Memory）５３は、バス５４により相互に接続されている。
【０１１７】
バス５４には、さらに、入出力インタフェース５５が接続されている。入出力インタフェース５５には、キーボード、マウス、マイクロホンなどよりなる入力部５６、ディスプレイ、スピーカなどよりなる出力部５７、ハードディスクや不揮発性のメモリなどよりなる記憶部５８、ネットワークインタフェースなどよりなる通信部５９、磁気ディスク、光ディスク、光磁気ディスク、或いは半導体メモリなどのリムーバブルメディア６１を駆動するドライブ６０が接続されている。
【０１１８】
以上のように構成されるコンピュータでは、CPU５１が、例えば、記憶部５８に記憶されているプログラムを、入出力インタフェース５５及びバス５４を介して、RAM５３にロードして実行することにより、上述した一連の処理が行われる。
【０１１９】
コンピュータ（CPU５１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア６１に記録して、あるいは、ローカルエリアネットワーク、インターネット、デジタル衛星放送といった、有線または無線の伝送媒体を介して提供される。
【０１２０】
そして、プログラムは、リムーバブルメディア６１をドライブ６０に装着することにより、入出力インタフェース５５を介して、記憶部５８に記憶することで、コンピュータにインストールすることができる。また、プログラムは、有線または無線の伝送媒体を介して、通信部５９で受信し、記憶部５８に記憶することで、コンピュータにインストールすることができる。その他、プログラムは、ROM５２や記憶部５８にあらかじめ記憶しておくことで、コンピュータにあらかじめインストールしておくことができる。
【０１２１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２２】
また、本発明の実施の形態は、上述した実施の形態に限定されるものではなく、本発明の要旨を逸脱しない範囲において種々の変更が可能である。
【符号の説明】
【０１２３】
１１…ＰＣＦＩＣＨデマッピング部、１２…ＰＨＩＣＨデマッピング部、１３…ＰＤＣＣＨデマッピング部、２１…メモリ、２２…内部パラメータ記憶部、２３…ＲＥＧカウンタ、２４…コンパレータ、２５…カウンタ、２６…ＲＥＧペア部、２７…制御部、５１…CPU、５２…ROM、５３…RAM、５８…記憶部、６１…リムーバブルメディア
【図１】
0005408722.tif 000049
【図２】
0005408722.tif 000050
【図３】
0005408722.tif 000051
【図４】
0005408722.tif 000052
【図５】
0005408722.tif 000053
【図６】
0005408722.tif 000054
【図７】
0005408722.tif 000055
【図８】
0005408722.tif 000056
【図９】
0005408722.tif 000057
【図１０】
0005408722.tif 000058
【図１１】
0005408722.tif 000059
【図１２】
0005408722.tif 000060